(57)【要約】      （修正有）【課題】プリンタで使用されたインクリボンを細片化するインクリボン断裁装置及びインクリボン供給装置に関し、ロール状のインクリボンを簡素化された回転機構により軽負荷で供給することを目的とする。【解決手段】プリンタで使用されて中空巻取芯上にインクリボンがロール状とされたインクリボンロール５１を断裁本体のカッタローラで細片化させるものであり、インクリボン供給装置１２においてインクリボンロール５１における中空巻取芯を貫通する非回転のシャフト４２上に一対の第１ロール固定回転部４３Ａ及び第２ロール固定回転部４３Ｂを回転自在に設け、当該一対の第１ロール固定回転部４３Ａ及びロール固定回転部４３Ｂで中空巻取芯の両端と係合させて一体的に回転され、当該インクリボンをカッタローラの引き込みに応じて供給させる構成とする。【選択図】図４
2018008472.tif 000002
【特許請求の範囲】
【請求項１】
プリンタで使用されて中空巻取芯上にロール状とされたインクリボンを細片化させるインクリボン断裁装置であって、
前記インクリボンを受け入れるリボン受入部、及び、当該リボン受入部より受け入れた当該インクリボンを引き込みながら断裁する断裁部を少なくとも備える断裁本体と、
前記ロール状のインクリボンにおける中空巻取芯を貫通する非回転のシャフト、及び、当該シャフト上で回転自在であり、当該中空巻取芯の両端で係合して一体的に回転する一対のロール固定回転部を備えて当該インクリボンを前記断裁部の引き込みに応じて供給するインクリボン供給装置と、
を有することを特徴とするインクリボン断裁装置。
【請求項２】
プリンタで使用されて中空巻取芯上にロール状とされたインクリボンを引き込みながら細片化させるインクリボン断裁装置に分離自在に設けられるインクリボン供給装置であって、
前記ロール状のインクリボンにおける中空巻取芯を貫通する非回転のシャフトと、
前記シャフト上で回転自在であり、前記ロール状のインクリボンにおける中空巻取芯の両端で係合して一体的に回転する一対のロール固定回転部と、
を有することを特徴とするインクリボン供給装置。
【発明の詳細な説明】
【技術分野】
【０００１】
本発明は、プリンタで使用されたインクリボンを細片化するインクリボン断裁装置及びインクリボン供給装置に関する。
【背景技術】
【０００２】
近年、インクリボンを使用するプリンタでは、使用済みのインクリボンには印字跡が残っており、個人情報や秘匿情報の漏洩を防ぐために断裁装置で細片化することが行われている。このような使用済みのロール状のインクリボンを断裁装置で当該インクリボンを引き込んで細片化することに際し、簡素化された回転機構でインクリボンの繰り出し力を軽減させることが望まれる。
【０００３】
従来、ロール状とされた使用済みのインクリボンに限らず、ロール状とされた長尺物を供給する装置等は種々知られている。例えば、特許文献１に記載されているように、テープロールの空洞にアウターシャフトが挿入されると共に、アウターシャフトの内側にインナーシャフトが挿入され、テープロールの両端を挟み込むように、一対のサイドシャフトをインナーシャフトの両端部分にねじ込ませるもので、これにより、テープロールとシャフトとが一体化され、当該テープロールがシャフトによって一体回転可能に保持される構成のものが知られている。
【０００４】
また、特許文献２に記載されているように、円筒状の熱転写インクリボン用供給コアの一端に熱転写プリンター側に設置している一方のギア付き回転駆動部を挿入して一体化させると共に、当該供給コアの他端に熱転写プリンター側に設置している他方の回転駆動部を挿入して一体化させることで駆動回転させる構成のものが知られている。
【先行技術文献】
【特許文献】
【０００５】
【特許文献１】特開２０１５−１８９５４８号公報
【特許文献２】特開２００３−２１１７６４号公報
【発明の概要】
【発明が解決しようとする課題】
【０００６】
しかしながら、上記特許文献１，２等では、ロール状の長尺物を回転軸に一体化させて当該回転軸を回転駆動させるものであって駆動機構が必要となって大型化してしまう。一方、回転駆動系によらずに長尺物を引き出しにより回転させて供給する場合には、回転軸と共に回転されることから当該回転軸の重量が加味された引き込み力を必要とし、これに対処させるべく回転軸を樹脂等で軽量化しても金属製と比較して回転摩耗により短寿命とならざるを得ず、長寿命とするためにベアリングなどの軸受を用いると長尺物ロールのセット性が悪く効率低下を招くという問題がある。
【０００７】
そこで、本発明は上記課題に鑑みなされたもので、ロール状のインクリボンを簡素化された回転機構により軽負荷で供給するインクリボン断裁装置及びインクリボン供給装置を提供することを目的とする。
【課題を解決するための手段】
【０００８】
上記課題を解決するために、請求項１の発明では、プリンタで使用されて中空巻取芯上にロール状とされたインクリボンを細片化させるインクリボン断裁装置であって、前記インクリボンを受け入れるリボン受入部、及び、当該リボン受入部より受け入れた当該インクリボンを引き込みながら断裁する断裁部を少なくとも備える断裁本体と、前記ロール状のインクリボンにおける中空巻取芯を貫通する非回転のシャフト、及び、当該シャフト上で回転自在であり、当該中空巻取芯の両端で係合して一体的に回転する一対のロール固定回転部を備えて当該インクリボンを前記断裁部の引き込みに応じて供給するインクリボン供給装置と、を有する構成とする。
【０００９】
請求項２の発明では、プリンタで使用されて中空巻取芯上にロール状とされたインクリボンを引き込みながら細片化させるインクリボン断裁装置に分離自在に設けられるインクリボン供給装置であって、前記ロール状のインクリボンにおける中空巻取芯を貫通する非回転のシャフトと、前記シャフト上で回転自在であり、前記ロール状のインクリボンにおける中空巻取芯の両端で係合して一体的に回転する一対のロール固定回転部と、を有する構成とする。
【発明の効果】
【００１０】
請求項１の発明によれば、プリンタで使用されて中空巻取芯上にロール状とされたインクリボンを断裁本体で細片化させるものであり、インクリボン供給装置においてロール状のインクリボンにおける中空巻取芯を貫通する非回転のシャフト上に一対のロール固定回転部を回転自在に設け、当該一対のロール固定回転部で中空巻取芯の両端と係合させて一体的に回転させ、当該インクリボンを断裁部の引き込みに応じて供給させる構成とすることにより、ロール状のインクリボンを、中空巻取芯を貫通する非回転のシャフト上で回転自在の一対のロール固定回転部と一体的に回転させることが可能となり、インクリボンを簡素化された回転機構によって軽負荷で供給させることができるものである。
【００１１】
請求項２の発明によれば、プリンタで使用されて中空巻取芯上にロール状とされたインクリボンを引き込みながら細片化させるインクリボン断裁装置に分離自在に設けられるもので、ロール状のインクリボンにおける中空巻取芯を貫通する非回転のシャフト上に一対のロール固定回転部を回転自在に設け、当該一対のロール固定回転部を中空巻取芯の両端と係合させて一体的に回転させ、当該インクリボンをインクリボン断裁装置からの引き込みに応じて供給させる構成とすることにより、インクリボンを簡素化された回転機構によって軽負荷で供給させることができると共に、インクリボンを断裁する断裁装置としていずれの断裁装置にも適応させることができるものである。
【図面の簡単な説明】
【００１２】
【図１】本発明に係るインクリボン断裁装置の全体構成図である。
【図２】図１のインクリボン断裁装置におけるインクリボン供給装置の説明図である。
【図３】インクリボンロール及びインクリボン搭載部との関係の説明図である。
【図４】図１のインクリボン供給装置におけるインクリボンロールセット状態の説明図である。
【図５】インクリボンの取り回しセットの説明図（１）である。
【図６】インクリボンの取り回しセットの説明図（２）である。
【図７】インクリボン搭載部の他の構成の説明図である。
【発明を実施するための形態】
【００１３】
以下、本発明の実施形態を図により説明する。
図１に、本発明に係るインクリボン断裁装置の全体構成図を示す。図１（Ａ）は全体斜視図、図１（Ｂ）は概略断面図である。図１（Ａ）において、インクリボン断裁装置１１は、プリンタで使用されたロール状のインクリボンをリボン受入部に導いて断裁部で細片化させるものであって、インクリボン供給装置１２及び断裁本体１３により構成され、インクリボン供給装置１２は断裁本体１３と分離自在に載置状態で位置される。当該インクリボン供給装置１２を断裁本体１３と分離自在とすることにより、いずれの機構の断裁装置に対しても適応させることができるものである。インクリボン供給装置１２については図２〜図４で説明する。
【００１４】
断裁本体１３には、インクリボンを断裁するために挿入させるリボン受入部１４が形成され、上面前部分に電源スイッチ１５Ａや操作スイッチ１５Ｂ等が設けられる。また、断裁本体１３の前面には前面扉１６が設けられる。そして、断裁本体１３上であって、リボン受入部１４のインクリボン供給装置側に当該リボン受入部１４の受け入れ幅に沿った板状の検知部１７が回動自在に設けられ、検知部１７の下方に当該検知部１７の検知状態を検出する例えばマイクロスイッチなどの検出部１８が設けられる。当該検知部１７及び検出部１８は後述の繰り出しによる張力を検知、検出するもので、有色及び無色（半透明若しくは透明）のインクリボンを問わずに対処することができものである。なお、有色のインクリボンを対象とする場合には、当該検知部１７及び検出部１８に代えて、光センサを用いてもよい。
【００１５】
上記検出部１８は、供給されるインクリボンの終端部分を後述のカッタローラ２１の引き出しによるインクリボン供給時の張力を、検知部１７を介して検知するもので、検知部１７がインクリボンの引き出される張力で下方に位置したときに検出部１８が後述の駆動部２３に断裁駆動継続信号を出力し、インクリボンが終端部分となって張力がなくなり検知部１７が上方位置となったときに駆動停止信号を出力するものである。
【００１６】
断裁本体１３の内部は、図１（Ｂ）に示すように、前面扉１６側が断裁領域１３Ａであり、リボン受入部１４は下方向側に幅狭で設けられ、直下に断裁部であるカッタローラ２１が当該リボン受入部１４の長さ方向と同じ軸方向で設けられる。カッタローラ２１は、従前より使用されているものと同様に、周上に断裁刃が形成されたローラが対で構成されるもので、各ローラは図のように下方に巻き込むようにそれぞれが回転する。
【００１７】
上記カッタローラ２１の下方には断裁したインクリボン断裁片を収納する出し入れ自在の断裁片収納袋保持具２２Ａに保持された断裁片収納袋２２が配置される。そして、断裁領域１３Ａの奥側にモータや制御盤等の駆動部２３が設けられるものである。
【００１８】
ここで、図２に、図１のインクリボン断裁装置におけるインクリボン供給装置の説明図を示す。図２（Ａ）は、インクリボン供給装置１２の筐体３１を示したもので、底部３１Ｃに対して装置側面側と同方向で対向する側面部３１Ａ，３１Ｂが一体とされる。そして、当該筐体３１における装置前部側の下方に挿入誘導シャフト３２が設けられる。底部３１Ｃには取付孔３５が所定数形成され、当該インクリボン供給装置１２が当該取付孔３５よりネジ止めなどにより断裁本体１３に載置固定される。
【００１９】
各側面部３１Ａ，３１Ｂにおける上辺の所定位置に対向する第１嵌合固定溝３３Ａ，３３Ｂが一対で設けられると共に、これより奥側に、さらに対向する第２嵌合固定溝３４Ａ，３４Ｂが一対で設けられる。上記第１嵌合固定溝３３Ａ，３３Ｂ及び第２嵌合固定溝３４Ａ，３４Ｂは、略方形形状で形成され、それぞれに図２（Ｂ）で示すインクリボン搭載部４１が嵌合固定される（後述する）。
【００２０】
インクリボン搭載部４１は、図２（Ｂ）に示すように、シャフト４２、一対となる第１ロール固定回転部４３Ａ及び第２ロール固定回転部４３Ｂ、及び、当該第１ロール固定回転部４３Ａ及び第２ロール固定回転部４３Ｂに対応する第１固定部４４Ａ及び第２固定部４４Ｂで構成される。
【００２１】
上記シャフト４２は、金属製や樹脂製の何れで形成してもよく、例えば上部の軸方向全部にわたって軸方向切欠き面４２Ａが形成される。これは、後述の第１固定部４４Ａ，４４Ｂによるネジ固定面となる。また、シャフト４２の両端部分には、それぞれ端部非回転嵌合部４２Ｂ，４２Ｃが形成される。
【００２２】
上記端部非回転嵌合部４２Ｂは、軸方向切欠き面４２Ａに対して両側に垂直方向でそれぞれ切欠き垂直面４２Ｄ，４２Ｅが形成される。上記端部非回転嵌合部４２Ｃにおいても同様の形状であり、図示及び説明を省略する。当該各端部非回転嵌合部４２Ｂ、４２Ｃは、上記側面部３１Ａ、３１Ｂに形成された第１嵌合固定溝３３Ａ、３３Ｂ（第２嵌合固定溝３４Ａ、３４Ｂに対しても同様）に嵌合載置されるもので、上記第１嵌合固定溝３３Ａ、３３Ｂ（第２嵌合固定溝３４Ａ、３４Ｂ）の略方形形状に対して上記切欠き垂直面４２Ｄ，４２Ｅが対応することとなり、これによって当該シャフト４２自体は非回転となる。
【００２３】
上記第１ロール固定回転部４３Ａは、中央にシャフト４２を通す軸孔が形成された円錐台形状であり、大円側から小円側にかけてテーパ面となる。当該第１ロール固定回転部４３Ａの軸孔にシャフト４２が通されて当該シャフト４２上で回転自在となる。上記第２ロール固定回転部４３Ｂにおいても同様の形状であり、金属製、樹脂製を問わない。
【００２４】
上記第１固定部４４Ａは、中央にシャフト４２を通す軸孔が形成されたドーナツ形状の摺動体４５Ａを有し、その円周面の所定位置に軸孔にかけてネジ孔が形成される。当該ネジ孔にツマミ４５Ｂを備える固定ネジ４５Ｃが螺合されて軸孔まで貫通される。上記第２固定部４４Ｂにおいても同様の形状であり、第１固定部４４Ａと共に金属製、樹脂製を問わない。
【００２５】
すなわち、シャフト４２との関係においては、シャフト４２に対して、一端側（端部非回転嵌合部４２Ｂ側）より第１ロール固定回転部４３Ａをその小円側から差し入れる。続いて、第１固定部４４Ａを上記ネジ孔が当該シャフト４２の軸方向切欠き面４２Ａに対応するように差し入れて固定ネジ４５Ｃを当該軸方向切欠き面４２Ａに当接させるように締め込むことで固定状態とさせる。
【００２６】
また、シャフト４２に対して、他端側（端部非回転嵌合部４２Ｃ側）より第２ロール固定回転部４３Ｂをその小円側から差し入れる。続いて、第２固定部４４Ｂを上記ネジ孔が当該シャフト４２の軸方向切欠き面４２Ａに対応するように差し入れて固定ネジ４５Ｃを当該軸方向切欠き面４２Ａに当接させるように締め込むことで固定状態とさせるものである。
【００２７】
続いて、図３に、インクリボンロール及びインクリボン搭載部との関係の説明図を示す。インクリボンロール５１は、図３（Ａ）に示すように、中空巻取芯５１Ａに使用済みのインクリボン５２がロール状に巻回されたものであり、また、別のインクリボンロール６１として、図３（Ｂ）に示すように、中空巻取芯６２Ａの一端（又は両端でもよい）にフランジ６３を有する巻取リール６２にインクリボン５２が巻回されたものである。いずれの場合であっても適用することができ、この実施形態では、図３（Ａ）に示すインクリボンロール５１にとして説明する。当該インクリボンロール５１と上記シャフト４２との関係では、図３（Ｃ）に示すように、シャフト４２の他端側（端部非回転嵌合部４２Ｃ側）より第２ロール固定回転部４３Ｂを上述のように差し入れ、続いて第２固定部４４Ｂを差し入れて固定ネジ４５Ｃを当該軸方向切欠き面４２Ａに当接させるように締め込むことで固定状態とさせた状態で、図３（Ｄ）に示すように、当該シャフト４２の一端側（端部非回転嵌合部４２Ｂ側）よりインクリボンロール５１を差し入れる。
【００２８】
そこで、図３（Ｅ）に示すように、シャフト４２の一端側（端部非回転嵌合部４２Ｂ側）より第１ロール固定回転部４３Ａを差し入れる。続いて、図３（Ｆ）に示すように、第１固定部４４Ａを差し入れて第１ロール固定回転部４３Ａをインクリボンロール５１の中空巻取芯５１Ａの一端側に押し付けるように移動させ、当該インクリボンロール５１の中空巻取芯５１Ａの他端側を第２ロール固定回転部４３Ｂ及び第２固定部４４Ｂに押し付けた状態とさせる。そして、固定ネジ４５Ｃを当該軸方向切欠き面４２Ａに当接させるように締め込むことで固定状態とさせるものである。
【００２９】
すなわち、インクリボンロール５１が搭載されたインクリボン搭載部４１は、そのシャフト４２上で、一対の第１ロール固定回転部４３Ａ及び第２ロール固定回転部４３Ｂがそれらのテーパ面で中空巻取芯５１Ａの両端で係合して固定状態となり、これらが一体的となって非回転（図４で説明する）のシャフト４２上で回転自在となるものである。
【００３０】
そこで、図４に、図１のインクリボン供給装置におけるインクリボンロールセット状態の説明図を示す。まず、図４（Ａ）に示すように、挿入誘導シャフト３２が設けられた筐体３１に対して、図３（Ｅ）に示すインクリボンロール５１が搭載されたインクリボン搭載部４１が２つ用意される。
【００３１】
そして、図４（Ｂ）に示すように、一のインクリボンロール５１が搭載されたインクリボン搭載部４１が、シャフト４２の両端に形成された各端部非回転嵌合部４２Ｂ，４２Ｃを、側面部３１Ａ，３１Ｂに形成された第１嵌合固定溝３３Ａ，３３Ｂに嵌合載置させることによりセットされる。続いて、もう一つのインクリボンロール５１が搭載されたインクリボン搭載部４１が、シャフト４２の両端に形成された各端部非回転嵌合部４２Ｂ，４２Ｃを、側面部３１Ａ，３１Ｂに形成された第２嵌合固定溝３４Ａ，３４Ｂに嵌合載置させることによりセットされる。
【００３２】
すなわち、各インクリボンロール５１が搭載されたインクリボン搭載部４１は、それらのシャフト４２の端部非回転嵌合部４２Ｂ，４２Ｃと上記第１嵌合固定溝３３Ａ，３３Ｂ及び第２嵌合固定溝３４Ａ，３４Ｂとの嵌合状態によって、当該各シャフト４２は非回転の状態となり、それぞれのインクリボンロール５１が係合された第１ロール固定回転部４３Ａ及び第２ロール固定回転部４３Ｂと一体的となって回転自在となるものである。
【００３３】
次に、図５及び図６に、インクリボンの取り回しセットの説明図を示す。上記図４（Ｂ）に示すように２つのインクリボンロール５１が搭載されたインクリボン搭載部４１の状態で、図５（Ａ）に示すように、まず奥側のインクリボンロール５１よりインクリボン５２を引き出すと共に、手前側のインクリボンロール５１よりインクリボン５２を引き出してそれらを重ねて重ねインクリボン５２Ａとする。
【００３４】
上記重ねインクリボン５２Ａを、図５（Ｂ）に示すように、挿入誘導シャフト３２の下方より引き出し、さらに検知部１７及びリボン受入部１４の反対側まで引き出す。この状態で、電源スイッチ１５Ａで装置運転を開始してカッタローラ２１を回転駆動させる。
【００３５】
そこで、図６（Ａ）に示すように、厚紙などの挿入ダミー５３を重ねインクリボン５２Ａ上から断裁本体１３のリボン受入部１４の挿入口に挿入する。これによって、重ねインクリボン５２Ａを挿入ダミー５３ごとカッタローラ２１に引き込ませることとなり、以降、図６（Ｂ）に示すように、連続して断裁が行われ、断裁されたインクリボン断裁片５２Ｂが断裁片収納袋２２に収納されるものである。
【００３６】
断裁時は、図６（Ａ）、（Ｂ）に示すように、カッタローラ２１の引き込み力で各インクリボンロール５１が第１ロール固定回転部４３Ａ及び第第２ロール固定回転部４３Ｂと共に回転して順次引き出され、その張力で検知部１７が下方に回動して検出部１８で検出されることとなり（駆動継続）、各インクリボンロール５１から引き出されたインクリボン５２の総てが引き出されて断裁されると、当該インクリボン５２による張力がなくなり、検知部１７が上方に復帰することで検出部１８の検出信号が切り替わって稼働停止されるものである。
【００３７】
次に、図７に、インクリボン搭載部の他の構成の説明図を示す。図７に示すインクリボン搭載部４１は、シャフト４２の長さの範囲で、複数のインクリボンロール５１を搭載可能とする形態としたものである。すなわち、２つのインクリボンロール５１を搭載可能な例として、図７に示すように、シャフト４２上の両端に第１固定部４４Ａ及び第２固定部４４Ｂを配置し、当該第１固定部４４Ａ及び第２固定部４４Ｂとの間に、一対の第１ロール固定回転部４３Ａ−１及び第２ロール固定回転部４３Ｂ−２を配置させて一のインクリボンロール５１を搭載対象とし、また、一対の第１ロール固定回転部４３Ａ−２及び第２ロール固定回転部４３Ｂ−１を配置させて他のインクリボンロール５１を搭載対象としたものである。搭載対象とするインクリボンロール５１は、同じ幅のものでもよく、異なる幅のものの組み合わせでもよい。
【００３８】
このように、インクリボン５２がロール状に巻回されたインクリボンロール５１を、中空巻取芯５１Ａを貫通する非回転とさせたシャフト４２上で回転自在の一対の第１ロール固定回転部４３Ａ及び第２ロール固定回転部４３Ｂと一体的に回転させることが可能となり、インクリボン５２を簡素化された回転機構により軽負荷で供給させることができるものである。また、インクリボン供給装置１２は、インクリボン断裁装置としてのいずれの断裁本体にも適応させることができるものである。
【産業上の利用可能性】
【００３９】
本発明のインクリボン断裁装置及びインクリボン供給装置は、ロール状のインクリボンを連続で細片化させる断裁装置の製造、販売、使用等の産業に利用可能である。
【符号の説明】
【００４０】
１１            インクリボン断裁装置
１２            インクリボン供給装置
１３            断裁本体
１４            リボン受入部
１５Ａ          電源スイッチ
１５Ｂ          操作スイッチ
１６            前面扉
１７            検知部
１８            検出部
２１            カッタローラ
２２            断裁片収納袋
２２Ａ          断裁片収納袋保持具
２３            駆動部
３１            筐体
３１Ａ，３１Ｂ  側面部
３１Ｃ          底部
３２            挿入誘導シャフト
３３Ａ，３３Ｂ  第１嵌合固定溝
３４Ａ，３４Ｂ  第２嵌合固定溝
３５            取付孔
４１            インクリボン搭載部
４２            シャフト
４２Ａ          軸方向切欠き面
４２Ｂ，４２Ｃ  端部非回転嵌合部
４２Ｄ，４２Ｅ  切欠き垂直面
４３Ａ          第１ロール固定回転部
４３Ｂ          第２ロール固定回転部
４４Ａ          第１固定部
４４Ｂ          第２固定部
４５Ａ          摺動体
４５Ｂ          ツマミ
４５Ｃ          固定ネジ
５１，６１      インクリボンロール
５１Ａ          中空巻取芯
５２            インクリボン
５２Ａ          重ねインクリボン
５３            挿入ダミー
６２            巻取リール
６２Ａ          中空巻取芯
６３            フランジ
【図１】
2018008472.tif 000003
【図２】
2018008472.tif 000004
【図３】
2018008472.tif 000005
【図４】
2018008472.tif 000006
【図５】
2018008472.tif 000007
【図６】
2018008472.tif 000008
【図７】
2018008472.tif 000009